(57)【要約】【課題】印刷機において、版胴に供給される水性インキの平滑性を確保することで印刷品質の向上を図る。【解決手段】インキ供給装置３４とインキローラ群３３と版胴３２とブランケット胴３１とを直列に配設して構成し、インキローラ群３３の最終ローラとしてのインキ着ローラ４０ａ，４０ｂを、往復ローラ３９と版胴３２とに対接する複数のローラから構成する。【選択図】      図１
2010111029.tif 000002
【特許請求の範囲】
【請求項１】
水性インキまたは水溶性インキを供給するインキ供給装置と、
該インキ供給装置から供給されるインキを受け渡すインキローラ群と、
該インキローラ群から受け渡されたインキが画線部に受け渡される版胴と、
該版胴に受け渡されたインキを印刷用紙に転写するブランケット胴と、
が直列に配設される印刷機において、
前記インキローラ群は、最終ローラとしてのインキ着ローラを有し、該インキ着ローラは、前記インキローラ群のローラと前記版胴とに対接する複数のローラから構成される、
ことを特徴とする印刷機。
【請求項２】
前記複数のインキ着ローラは、それぞれが異径に設定されると共に、前記版胴と異径に設定されることを特徴とする請求項１に記載の印刷機。
【請求項３】
前記インキ供給装置から前記ブランケット胴までのインキ供給ラインが一つだけ設けられることを特徴とする請求項１または２に記載の印刷機。
【請求項４】
前記インキ供給装置は、予め設定された所定粘性の水性インキまたは水溶性インキを貯留するインキ貯留部と、該インキ貯留部のインキを供給するインキ元ローラとを有し、前記インキローラ群は、前記インキ元ローラのインキを受け渡す受渡しローラと、該受渡しローラから受け渡されたインキを練る練ローラと、該練ローラにより練られたインキを幅方向に広げる往復ローラと、該往復ローラから受け渡されたインキを前記版胴に供給する前記複数のインキ着ローラを有することを特徴とする請求項１から３のいずれか一つに記載の印刷機。
【発明の詳細な説明】
【技術分野】
【０００１】
本発明は、例えば、オフセット枚葉印刷機やオフセット輪転印刷機などの印刷ユニットとして使用される印刷機に関するものである。
【背景技術】
【０００２】
一般に、オフセット輪転印刷機は、給紙装置とインフィード装置と印刷装置と乾燥装置と冷却装置とウェブパス装置と折り装置と排紙装置とから構成されている。給紙装置は、２つの巻取体（ウェブロール）が装着されるリールスタンドを有しており、一方の巻取体から引き出されて走行しているウェブを、他方の巻取体のウェブに接続することで、連続的にウェブを供給可能な印刷機を有している。インフィード装置は、給紙装置の巻取体から引き出されたウェブを所定の速度で印刷装置に供給するものである。印刷装置は、一般的にブラック、シアン、マゼンダ、イエローの４色それぞれに対応した４組の印刷ユニットがウェブ走行方向に沿って並設されている。乾燥装置は、印刷装置により印刷が施されたウェブ上のインキを乾燥させるためのものであり、冷却装置は、乾燥装置での乾燥後の過剰な熱を蓄えるウェブを適当な温度まで冷却するものである。ウェブパス装置は、乾燥されて冷却されたウェブを搬送するものであり、折り装置は、ウェブを縦折りされた後に裁断し、所定の大きさに折り畳んで折帳を形成するものであり、排紙装置は、折り畳まれた折帳を機外へ搬出するものである。
【０００３】
従って、給紙装置により巻取体からロール状のウェブが引き出され、このウェブがインフィード装置により所定の速度で印刷装置に供給され、この印刷装置における各印刷ユニットにより多色印刷が施され、印刷されたウェブは、乾燥装置でインキが乾燥され、冷却装置で冷却され、ウェブパス装置を経て搬送された折り装置により折帳が作成され、排紙装置により搬出される。
【０００４】
このようなオフセット輪転印刷機における印刷装置の各印刷ユニットは、両面印刷機の場合、水平に搬送されるウェブの上下に、インキ供給装置と、インキ着ローラと、版胴と、ブランケット胴とがそれぞれ対称に配置されている。従来の印刷機としては、例えば、下記特許文献１に記載されたものがある。この特許文献１に記載された印刷機では、水性インキを供給するインキ供給装置と、インキ供給装置から水性インキが受け渡されるインキ着ローラと、インキ着ローラに対接して水性インキが受け渡される版胴と、版胴に対接してこの版胴に供給された水性インキを絵柄としてウェブに転写するブランケット胴を設け、各ローラ及び胴が直列に配設されている。
【０００５】
【特許文献１】特開２００８−２０７４８５号公報
【発明の開示】
【発明が解決しようとする課題】
【０００６】
水性インキを使用する印刷機にて、この水性インキは油性インキに比べて粘性が低いことから、インキ貯留部からブランケット胴までのインキ供給ラインを一つとして、ローラ及び胴の構成を簡素化することができる。ところが、水性インキは、その半面で、インキ貯留部から版胴に受け渡されるまでの間で、平滑性、つまり、ローラの外周面に付着したインキの膜圧が不均一になりやすいという問題がある。
【０００７】
本発明は上述した課題を解決するものであり、版胴に供給される水性インキの平滑性を確保することで印刷品質の向上を図る印刷機を提供することを目的とする。
【課題を解決するための手段】
【０００８】
上記の目的を達成するための請求項１の発明の印刷機は、水性インキまたは水溶性インキを供給するインキ供給装置と、該インキ供給装置から供給されるインキを受け渡すインキローラ群と、該インキローラ群から受け渡されたインキが画線部に受け渡される版胴と、該版胴に受け渡されたインキを印刷用紙に転写するブランケット胴と、が直列に配設される印刷機において、前記インキローラ群は、最終ローラとしてのインキ着ローラを有し、該インキ着ローラは、前記インキローラ群のローラと前記版胴とに対接する複数のローラから構成される、ことを特徴とするものである。
【０００９】
請求項２の発明の印刷機では、前記複数のインキ着ローラは、それぞれが異径に設定されると共に、前記版胴と異径に設定されることを特徴としている。
【００１０】
請求項３の発明の印刷機では、前記インキ供給装置から前記ブランケット胴までのインキ供給ラインが一つだけ設けられることを特徴としている。
【００１１】
請求項４の発明の印刷機では、前記インキ供給装置は、予め設定された所定粘性の水性インキまたは水溶性インキを貯留するインキ貯留部と、該インキ貯留部のインキを供給するインキ元ローラとを有し、前記インキローラ群は、前記インキ元ローラのインキを受け渡す受渡しローラと、該受渡しローラから受け渡されたインキを練る練ローラと、該練ローラにより練られたインキを幅方向に広げる往復ローラと、該往復ローラから受け渡されたインキを前記版胴に供給する前記複数のインキ着ローラを有することを特徴としている。
【発明の効果】
【００１２】
請求項１の発明の印刷機によれば、インキ供給装置とインキローラ群と版胴とブランケット胴とを直列に配設して構成し、インキローラ群の最終ローラとしてのインキ着ローラを設け、このインキ着ローラをインキローラ群のローラと版胴とに対接する複数のローラから構成している。従って、インキローラ群を転移する水性インキまたは水溶性インキは、複数のインキ着ローラにより版胴に受け渡されることとなり、版胴に供給されるインキの平滑性を確保することで印刷品質の向上を図ることができる。
【００１３】
請求項２の発明の印刷機によれば、複数のインキ着ローラをそれぞれが異径に設定すると共に、版胴と異径に設定するので、インキローラ群から複数のインキ着ローラを介して版胴に受け渡されるときに、ゴースト現象の発生を抑制することができる。
【００１４】
請求項３の発明の印刷機によれば、インキ供給装置からブランケット胴までのインキ供給ラインを一つだけ設けるので、版胴に供給されるインキの平滑性を確保した上で、装置の簡素化を可能とすることができる。
【００１５】
請求項４の発明の印刷機によれば、インキ供給装置として、インキ貯留部とインキ元ローラを設け、インキローラ群として、受渡しローラと練ローラと往復ローラと複数のインキ着ローラを設けるので、インキ貯留部の水性インキまたは水溶性インキは、インキ元ローラ、受渡しローラ、練ローラ、往復ローラ、複数のインキ着ローラを介して版胴に受け渡されることとなり、版胴に供給されるインキの平滑性を確保することができる。
【発明を実施するための最良の形態】
【００１６】
以下に添付図面を参照して、本発明に係る印刷機の好適な実施例を詳細に説明する。なお、この実施例により本発明が限定されるものではない。
【実施例１】
【００１７】
図１は、本発明の実施例１に係る印刷機における印刷ユニットを表す概略構成図、図２は、実施例１の印刷機を表す概略構成図である。
【００１８】
実施例１の印刷機は、水性インキを用いたオフセット輪転印刷機であって、図２に示すように、給紙装置１１と、インフィード装置１２と、印刷装置１３と、乾燥装置１４と、冷却装置１５と、ウェブパス装置１６と、折り装置１７と、排紙装置１８とから構成されている。
【００１９】
給紙装置１１は、２つの巻取体（ウェブロール）が装着されるリールスタンドを有しており、一方の巻取体から引き出されて走行しているウェブ（印刷用紙）を、他方の巻取体のウェブに接続することで、連続的にウェブを供給可能な紙継装置を有している。インフィード装置１２は、給紙装置１１のウェブを印刷装置１３側に供給するものである。印刷装置１３は、４つの水性インキ色である藍（Cyan）、紅（Magenta）、黄（Yellow）、墨（Black）ごとの４個の印刷ユニット２１，２２，２３，２４がウェブ走行方向に沿って並設されて構成されている。乾燥装置１４は、印刷装置１３により印刷が施されたウェブ上の水性インキを乾燥させるためのものであり、冷却装置１５は、乾燥装置１４での乾燥後の過剰な熱を蓄えるウェブを適当な温度まで冷却するものである。ウェブパス装置１６は、乾燥されて冷却されたウェブを搬送するものであり、折り装置１７は、ウェブを縦折りされた後に裁断し、所定の大きさに折り畳んで折帳を形成するものであり、排紙装置１８は、折り畳まれた折帳を機外へ搬出するものである。
【００２０】
従って、給紙装置１１により巻取体からロール状のウェブＷが引き出され、インフィード装置１２により印刷装置１３に供給され、この印刷装置１３にて、各印刷ユニット２１，２２，２３，２４により多色印刷が施され、印刷されたウェブＷは、乾燥装置１４で水性インキが乾燥され、冷却装置１５で冷却され、ウェブパス装置１６を経て搬送された折り装置１７により折帳が作成され、排紙装置１８により搬出される。
【００２１】
ここで、本実施例のオフセット輪転印刷機にて、各印刷ユニット２１，２２，２３，２４は、ウェブＷの表面及び裏面に同時に印刷する両面印刷機であって、使用する水性インキの色（藍、紅、黄、墨）が相違するだけで、その構成はほぼ同様のものとなっている。そのため、以下の説明では、一つの印刷ユニット２１において、ウェブＷの表面に印刷を施す構成についてのみ説明する。
【００２２】
本実施例の印刷ユニット２１において、図１に示すように、ウェブＷの搬送経路における上方には、ブランケット胴３１が回転自在に配置されると共に、このブランケット胴３１に対接して版胴３２が回転自在に配置されている。そして、版胴３２の上方に、インキローラ群３３とインキ供給装置３４が配置されている。
【００２３】
このインキ供給装置３４は、予め設定された所定粘性、つまり、所定水分率の水性インキまたは水溶性インキを貯留するインキ貯留部としてのインキつぼ３５と、このインキつぼ３５から図示しないインキキーにより調量されたインキを供給するインキ元ローラ３６とを有している。また、インキローラ群３３は、インキ元ローラ３６のインキを受け渡す受渡しローラ３７と、受渡しローラ３７から受け渡されたインキを練る練ローラ３８と、練ローラ３８により練られたインキを幅方向に広げる往復ローラ３９と、往復ローラ３９から受け渡されたインキを版胴３２に供給する２つのインキ着ローラ４０ａ，４０ｂとを有している。
【００２４】
そして、本実施例では、インキ着ローラ４０ａ，４０ｂは、インキローラ群３３におけるインキ供給経路の最下流側に設けられた最終ローラとしての往復ローラ３９と版胴３２とに対接する複数（本実施例では、２つ）のローラから構成されている。
【００２５】
この場合、インキ元ローラ３６、練ローラ３８、インキ着ローラ４０ａ，４０ｂは、表面に弾力部を有するゴムローラである。一方、受渡しローラ３７、往復ローラ３９は、金属性のローラである。また、版胴３２は、表面に図示しない版が装着された金属ローラであり、ブランケット胴３１は、表面に弾力部としてのブランケットが装着されたゴムローラである。
【００２６】
また、複数のインキ着ローラ４０ａ，４０ｂは、それぞれが異径に設定されると共に、往復ローラ３９、版胴３２、ブランケット胴３１と異径に設定されている。つまり、往復ローラ３９と版胴３２とブランケット胴３１は同径（または、整数倍の径でもよい。）に設定され、インキ着ローラ４０ａ，４０ｂは、この往復ローラ３９、版胴３２、ブランケット胴３１より小径に設定されている。また、インキ着ローラ４０ａ，４０ｂ同士は、異径に設定され、一方のインキ着ローラ４０ａより他方のインキ着ローラ４０ｂの方が小径に設定されている。
【００２７】
更に、インキ元ローラ３６、受渡しローラ３７、練ローラ３８、往復ローラ３９、インキ着ローラ４０ａ，４０ｂ、版胴３２、ブランケット胴３１が対接して直列をなすように配設されることで、インキ供給装置３４からブランケット胴３１までのインキ供給ラインが一つだけ設けられている。
【００２８】
本実施例の印刷ユニット２１にて、ウェブＷの搬送経路における上方に配設されたブランケット胴３１、版胴３２、インキローラ群３３、インキ供給装置３４について説明したが、ウェブＷの搬送経路における下方にも、同様に、ブランケット胴４１、図示しない版胴、インキローラ群、インキ供給装置が配設されている。
【００２９】
従って、インキ元ローラ３６により供給量が調整された水性インキが、インキつぼ３５から受渡ローラ３７に供給され、練ローラ３８及び往復ローラ３９を通ることで適度に練られ、薄膜を形成した後に２つのインキ着ローラ４０ａ，４０ｂに供給され、このインキ着ローラ４０ａ，４０ｂから版胴３２の版面に供給され、版面に付着したインキがブランケット胴３１に転写され、裏面印刷を行うブランケット胴４１との間でウェブＷに所定の印圧が掛けられることで、ブランケット胴３１のインキを絵柄としてウェブＷの表面に転写することができる。
【００３０】
このとき、往復ローラ３９から受け渡されたインキは、２つのインキ着ローラ４０ａ，４０ｂにより版胴３２の版面に供給されることとなる。この場合、一方のインキ着ローラ４０ａは、版胴３２の版面に対してインキを供給し、他方のインキ着ローラ４０ｂは、版胴３２の版面にあるインキを慣らしてその平滑性を確保する。具体的に、インキ着ローラ４０ｂは、版胴３２の版面におけるインキ不足部分にはインキを補充し、インキ過剰部分からはインキをかきとる。
【００３１】
また、複数のインキ着ローラ４０ａ，４０ｂは、それぞれが異径に設定されると共に、往復ローラ３９、版胴３２、ブランケット胴３１と異径に設定されている。そのため、インキは、往復ローラ３９から径の異なるインキ着ローラ４０ａ，４０ｂに転移し、股径の異なる版胴３２に受け渡されることとなり、ゴースト現象、つまり、インキの転写位置がずれて画像が二重、三重になる現象が抑制される。
【００３２】
このように実施例１の印刷機にあっては、インキ供給装置３４とインキローラ群３３と版胴３２とブランケット胴３１とを直列に配設して構成し、インキローラ群３３の最終ローラとしてのインキ着ローラ４０ａ，４０ｂを、往復ローラ３９と版胴３２とに対接する複数のローラから構成している。
【００３３】
従って、インキローラ群３３を転移する水性インキまたは水溶性インキは、複数のインキ着ローラ４０ａ，４０ｂにより版胴３２に受け渡されることとなり、版胴３２に供給されるインキの平滑性を確保することで印刷品質の向上を図ることができる。
【００３４】
また、実施例１の印刷機では、複数のインキ着ローラ４０ａ，４０ｂをそれぞれが異径に設定すると共に、版胴３２と異径に設定しており、インキローラ群３３から複数のインキ着ローラ４０ａ，４０ｂを介して版胴３２に受け渡されるときに、ゴースト現象の発生を抑制することができる。
【００３５】
また、実施例１の印刷機では、インキ供給装置３４からブランケット胴３１までのインキ供給ラインを一つだけ設けており、版胴３２に供給されるインキの平滑性を確保した上で、装置の簡素化を可能とすることができる。
【００３６】
また、実施例１の印刷機では、インキ供給装置３４として、インキつぼ３５とインキ元ローラ３６を設け、インキローラ群３３として、受渡しローラ３７と練ローラ３８と往復ローラ３９と複数のインキ着ローラ４０ａ，４０ｂを設けている。インキつぼ３５の水性インキまたは水溶性インキは、インキ元ローラ３６、受渡しローラ３７、練ローラ３８、往復ローラ３９、複数のインキ着ローラ４０ａ，４０ｂを介して版胴３２に受け渡されることとなり、版胴３２に供給されるインキの平滑性を確保することができる。
【実施例２】
【００３７】
図３は、本発明の実施例２係る印刷機における印刷ユニットを表す概略構成図である。なお、上述した実施例と同様の機能を有する部材には、同一の記号を付して詳細な説明は省略する。
【００３８】
実施例２の印刷ユニット５１において、図３に示すように、ウェブＷの搬送経路における上方には、ブランケット胴３１が回転自在に配置されると共に、このブランケット胴３１に対接して版胴３２が回転自在に配置されている。そして、版胴３２の上方に、インキローラ群５２とインキ供給装置３４が配置されている。
【００３９】
このインキ供給装置３４は、インキつぼ３５とインキ元ローラ３６とを有している。また、インキローラ群５２は、インキ元ローラ３６のインキを受け渡す受渡しローラ３７と、受渡しローラ３７から受け渡されたインキを練る練ローラ３８と、練ローラ３８により練られたインキを幅方向に広げる往復ローラ３９と、往復ローラ３９から受け渡されたインキを版胴３２に供給する３つのインキ着ローラ５３ａ，５３ｂ，５３ｃとを有している。
【００４０】
そして、本実施例では、インキ着ローラ５３ａ，５３ｂ，５３ｃは、インキローラ群５２におけるインキ供給経路の最下流側に設けられた最終ローラとしての往復ローラ３９と版胴３２とに対接する複数（本実施例では、３つ）のローラから構成されている。
【００４１】
この場合、インキ元ローラ３６、受渡しローラ３７、練ローラ３８、往復ローラ３９、インキ着ローラ５３ａ，５３ｂ，５３ｃは、表面に弾力部を有するゴムローラである。版胴３２は、表面に図示しない版が装着された金属ローラであり、ブランケット胴３１は、表面に弾力部としてのブランケットが装着されたゴムローラである。
【００４２】
また、複数のインキ着ローラ５３ａ，５３ｂ，５３ｃは、それぞれが異径に設定されると共に、往復ローラ３９、版胴３２、ブランケット胴３１と異径に設定されている。つまり、往復ローラ３９と版胴３２とブランケット胴３１は同径（または、整数倍の径でもよい。）に設定され、インキ着ローラ５３ａ，５３ｂ，５３ｃは、この往復ローラ３９、版胴３２、ブランケット胴３１より小径に設定されている。また、インキ着ローラ５３ａ，５３ｂ，５３ｃ同士は、異径に設定され、第１のインキ着ローラ５３ａより第２のインキ着ローラ５３ｂの方が小径に設定され、第２のインキ着ローラ５３ｂより第３のインキ着ローラ５３ｃの方が大径に設定されている。
【００４３】
更に、インキ元ローラ３６、受渡しローラ３７、練ローラ３８、往復ローラ３９、インキ着ローラ５３ａ，５３ｂ，５３ｃ、版胴３２、ブランケット胴３１が対接して直列をなすように配設されることで、インキ供給装置３４からブランケット胴３１までのインキ供給ラインが一つだけ設けられている。
【００４４】
本実施例の印刷ユニット５１にて、ウェブＷの搬送経路における上方に配設されたブランケット胴３１、版胴３２、インキローラ群５２、インキ供給装置３４について説明したが、ウェブＷの搬送経路における下方にも、同様に、ブランケット胴４１、図示しない版胴、インキローラ群、インキ供給装置が配設されている。
【００４５】
従って、インキ元ローラ３６により供給量が調整された水性インキが、インキつぼ３５から受渡ローラ３７に供給され、練ローラ３８及び往復ローラ３９を通ることで適度に練られ、薄膜を形成した後に３つのインキ着ローラ５３ａ，５３ｂ，５３ｃに供給され、このインキ着ローラ５３ａ，５３ｂ，５３ｃから版胴３２の版面に供給され、版面に付着したインキがブランケット胴３１に転写され、裏面印刷を行うブランケット胴４１との間でウェブＷに所定の印圧が掛けられることで、ブランケット胴３１のインキを絵柄としてウェブＷの表面に転写することができる。
【００４６】
このとき、往復ローラ３９から受け渡されたインキは、３つのインキ着ローラ５３ａ，５３ｂ，５３ｃにより版胴３２の版面に供給されることとなる。この場合、第１のインキ着ローラ５３ａは、版胴３２の版面に対してインキを供給し、第２、第３のインキ着ローラ５３ｂ，５３ｃは、版胴３２の版面にあるインキを慣らしてその平滑性を確保する。具体的に、インキ着ローラ５３ｂ，５３ｃは、版胴３２の版面におけるインキ不足部分にはインキを補充し、インキ過剰部分からはインキをかきとる。
【００４７】
また、複数のインキ着ローラ５３ａ，５３ｂ，５３ｃは、それぞれが異径に設定されると共に、往復ローラ３９、版胴３２、ブランケット胴３１と異径に設定されている。そのため、インキは、往復ローラ３９から径の異なるインキ着ローラ５３ａ，５３ｂ，５３ｃに転移し、股径の異なる版胴３２に受け渡されることとなり、ゴースト現象、つまり、インキの転写位置がずれて画像が二重、三重になる現象が抑制される。
【００４８】
このように実施例２の印刷機にあっては、インキ供給装置３４とインキローラ群５２と版胴３２とブランケット胴３１とを直列に配設して構成し、インキローラ群５２の最終ローラとしてのインキ着ローラ５３ａ，５３ｂ，５３ｃを、往復ローラ３９と版胴３２とに対接する複数のローラから構成している。
【００４９】
従って、インキローラ群５２を転移する水性インキまたは水溶性インキは、複数のインキ着ローラ５３ａ，５３ｂ，５３ｃにより版胴３２に受け渡されることとなり、版胴３２に供給されるインキの平滑性を確保することで印刷品質の向上を図ることができる。
【００５０】
また、実施例２の印刷機では、３つのインキ着ローラ５３ａ，５３ｂ，５３ｃを用いていることから、インキを、往復ローラ３９から３つのインキ着ローラ５３ａ，５３ｂ，５３ｃを介して版胴３２の版面に供給するとき、インキの更なる平滑性を確保することができる。
【００５１】
なお、上述した各実施例では、インキ着ローラを２つ、または３つ設けたが、その数に限定されるものではない。
【００５２】
また、上述した各実施例では、印刷機を４つの印刷ユニットから構成したが、１つまたは２つまたは５つ以上かに構成してもよい。また、印刷ユニットをインキ供給装置とインキローラ群と版胴とブランケット胴から構成したが、このローラ及び胴の構成並びにその数は実施例に限定されるものではなく、適宜最適なものに設定すればよい。更に、印刷機を両面印刷機としたが、片面印刷機でもよく、また、輪転印刷機に限らず、枚葉印刷機に適用することもできる。
【産業上の利用可能性】
【００５３】
本発明に係る印刷機は、インキ着ローラを複数設けることで、版胴に供給される水性インキの平滑性を確保して印刷品質の向上を図るものであり、いずれの印刷機にも適用することができる。
【図面の簡単な説明】
【００５４】
【図１】本発明の実施例１に係る印刷機における印刷ユニットを表す概略構成図である。
【図２】実施例１の印刷機を表す概略構成図である。
【図３】本発明の実施例２に係る印刷機における印刷ユニットを表す概略構成図である。
【符号の説明】
【００５５】
１１  給紙装置
１２  インフィード装置
１３  印刷装置
１４  乾燥装置
１５  冷却装置
１６  ウェブパス装置
１７  折り装置
１８  排紙装置
２１，２２，２３，２４，５１  印刷ユニット
３１，４１  ブランケット胴
３２  版胴
３３，５２  インキローラ群
３４  インキ供給装置
３５  インキつぼ
３６  インキ元ローラ
３７  受渡しローラ
３８  練ローラ
３９  往復ローラ
４０ａ，４０ｂ，５３ａ，５３ｂ，５３ｃ  インキ着ローラ
【図１】
2010111029.tif 000003
【図２】
2010111029.tif 000004
【図３】
2010111029.tif 000005